(57)【要約】【課題】複数の表示媒体を支持する支持シートの単位荷重当たりの撓み量が、複数の表示媒体の各々の単位荷重当たりの撓み量よりも大きい場合と比較して、複数の表示媒体の境界部の局所変形を抑えることができる。【解決手段】表示パネル１５は、可撓性の表示媒体１０Ａ〜１０Ｄと、表示媒体１０Ａ〜１０Ｄを支持すると共に、単位荷重当たりの撓み量が表示媒体１０Ａ〜１０Ｄの各々よりも小さい可撓性の支持シート３０と、を備える。【選択図】図２
2015166777.tif 000002
【特許請求の範囲】
【請求項１】
可撓性の複数の表示媒体と、
前記複数の表示媒体を支持すると共に、単位荷重当たりの撓み量が前記複数の表示媒体の各々よりも小さい可撓性の支持シートと、
を備えた表示パネル。
【請求項２】
前記支持シートは、透光性を有し且つ前記複数の表示媒体の表示面を支持する
請求項１記載の表示パネル。
【請求項３】
前記複数の表示媒体の各々の端部が折り曲げられた状態で、前記複数の表示媒体が前記支持シート上に配置された
請求項２記載の表示パネル。
【請求項４】
前記複数の表示媒体の各々の周縁部の非画像形成領域に対応する前記支持シートの対応領域に、前記非画像形成領域を隠蔽する隠蔽部を備えた
請求項２又は請求項３記載の表示パネル。
【請求項５】
前記複数の表示媒体の各々の周縁部の非画像形成領域が重なるように、前記複数の表示媒体が前記支持シート上に配置された
請求項２〜請求項４の何れか１項に記載の表示パネル。
【請求項６】
前記支持シートの表示面と反対側の面に、前記支持シートの曲率が予め定めた許容範囲内となるように規制する曲率規制部材を備えた
請求項２〜請求項５の何れか１項に記載の表示パネル。
【請求項７】
前記曲率規制部材は、少なくとも一方の面に予め定めた間隔で切り欠きが設けられた部材である
請求項４記載の表示パネル。
【請求項８】
前記支持シートに前記複数の表示媒体を位置決めする位置決め手段を備えた
請求項１〜請求項７の何れか１項に記載の表示パネル。
【請求項９】
前記位置決め手段は、前記支持シートに設けられた、前記複数の表示媒体の各々を嵌め合わせるための突起部であり、前記複数の表示媒体の各々に前記突起部の形状に合わせた切り欠きが設けられた
請求項８記載の表示パネル。
【請求項１０】
前記位置決め手段は、前記支持シートの前記複数の表示媒体が配置される面に設けられた段差部である
請求項８記載の表示パネル。
【請求項１１】
前記位置決め手段は、前記支持シート及び前記複数の表示媒体の各々に設けられた挿入孔と、前記挿入口に挿入するための位置決めピンと、を含み、前記位置決めピンが前記挿入口に挿入された状態で前記支持シート及び前記複数の表示媒体の各々に接着された
請求項８記載の表示パネル。
【請求項１２】
少なくとも一方が透光性を有する一対の基板と、前記一対の基板間に封入された分散媒に分散され、前記一対の基板間に形成された電界に応じて移動し始める閾値及び色が異なる複数種類の粒子群と、を含む
請求項１〜請求項１１の何れか１項に記載の表示パネル。
【請求項１３】
請求項１〜請求項１２の何れか１項に記載の表示パネルと、
前記表示パネルを駆動する駆動装置と、
を備えた表示装置。
【発明の詳細な説明】
【技術分野】
【０００１】
本発明は、表示パネル及び表示装置に関する。
【背景技術】
【０００２】
特許文献１には、連結した複数の表示素子を備え、前記複数の表示素子が各表示素子の表示画面より大きな大表示画面を形成するマルチディスプレイ素子であって、前記複数の表示素子は、前記隣接する前記表示素子の表示領域が隣接するように、隣接する前記表示素子の縁部が重なって連結されていることを特徴とするマルチディスプレイ素子が開示されている。
【０００３】
特許文献２には、液晶層を挟持する一対の電極付き基板の内の一方が、複数枚の小基板をその側面で接続した構造の液晶パネルにおいて、１枚構成の電極付き基板に、複数枚の小基板がシール剤を介して貼着される一方、小基板同士の接合部、及び全小基板の表面に接着剤層が形成され、該接着剤層を介して、全小基板を覆う形状の柔軟性を有する被覆層が貼り付けられていることを特徴とする液晶パネルが開示されている。
【０００４】
特許文献３には、所定の隙間を開けて配列され、それぞれが独立して画像表示が可能な複数の表示ユニットと、前記複数の表示ユニット側が裏面となるように、前記複数の表示ユニットの前面に配置された保護板と、前記複数の保護板の前記裏面に貼付され、前記複数の保護板を連結する可撓性を有した連結シートと、前記複数の表示ユニットのそれぞれの表示面を覆うように配設された透光性接着剤層と、を備え、前記連結シートによって連結された前記複数の保護板が、前記連結シートを間に介して、または直接に前記透光性接着剤層により前記複数の表示ユニットと接着されることで、前記複数の表示ユニットが連結され、前記複数の表示ユニットの前記所定の隙間の位置に対応する前記連結シートによる連結部を屈曲させることで、前記複数の表示ユニットのそれぞれの前記表示面が、異なる方向を向くように設定可能な表示装置が開示されている。
【先行技術文献】
【特許文献】
【０００５】
【特許文献１】特開２０１３−１５６４５２号公報
【特許文献２】特開平１１−１０９３００号公報
【特許文献３】特開２０１３−１３０７７９号公報
【発明の概要】
【発明が解決しようとする課題】
【０００６】
本発明は、複数の表示媒体を支持する支持シートの単位荷重当たりの撓み量が、複数の表示媒体の各々の単位荷重当たりの撓み量よりも大きい場合と比較して、複数の表示媒体の境界部の局所変形を抑えることができる表示パネル及び表示装置を提供することを目的とする。
【課題を解決するための手段】
【０００７】
上記目的を達成するために、請求項１記載の発明の表示パネルは、可撓性の複数の表示媒体と、前記複数の表示媒体を支持すると共に、単位荷重当たりの撓み量が前記複数の表示媒体の各々よりも小さい可撓性の支持シートと、を備える。
【０００８】
請求項２記載の発明は、前記支持シートは、透光性を有し且つ前記複数の表示媒体の表示面を支持する。
【０００９】
請求項３記載の発明は、前記複数の表示媒体の各々の端部が折り曲げられた状態で、前記複数の表示媒体が前記支持シート上に配置されたものである。
【００１０】
請求項４記載の発明は、前記複数の表示媒体の各々の周縁部の非画像形成領域に対応する前記支持シートの対応領域に、前記非画像形成領域を隠蔽する隠蔽部を備えたものである。
【００１１】
請求項５記載の発明は、前記複数の表示媒体の各々の周縁部の非画像形成領域が重なるように、前記複数の表示媒体が前記支持シート上に配置されたものである。
【００１２】
請求項６記載の発明は、前記支持シートの表示面と反対側の面に、前記支持シートの曲率が予め定めた許容範囲内となるように規制する曲率規制部材を備えたものである。
【００１３】
請求項７記載の発明は、前記曲率規制部材は、少なくとも一方の面に予め定めた間隔で切り欠きが設けられた部材である。
【００１４】
請求項８記載の発明は、前記支持シートに前記複数の表示媒体を位置決めする位置決め手段を備えたものである。
【００１５】
請求項９記載の発明は、前記位置決め手段は、前記支持シートに設けられた、前記複数の表示媒体の各々を嵌め合わせるための突起部であり、前記複数の表示媒体の各々に前記突起部の形状に合わせた切り欠きが設けられたものである。
【００１６】
請求項１０記載の発明は、前記位置決め手段は、前記支持シートの前記複数の表示媒体が配置される面に設けられた段差部である。
【００１７】
請求項１１記載の発明は、前記位置決め手段は、前記支持シート及び前記複数の表示媒体の各々に設けられた挿入孔と、前記挿入口に挿入するための位置決めピンと、を含み、前記位置決めピンが前記挿入口に挿入された状態で前記支持シート及び前記複数の表示媒体の各々に接着されたものである。
【００１８】
請求項１２記載の発明は、少なくとも一方が透光性を有する一対の基板と、前記一対の基板間に封入された分散媒に分散され、前記一対の基板間に形成された電界に応じて移動し始める閾値及び色が異なる複数種類の粒子群と、を含む。
【００１９】
請求項１３記載の発明の表示装置は、請求項１〜請求項１２の何れか１項に記載の表示パネルと、前記表示パネルを駆動する駆動装置と、を備える。
【発明の効果】
【００２０】
請求項１、１３記載の発明によれば、複数の表示媒体を支持する支持シートの単位荷重当たりの撓み量が、複数の表示媒体の各々の単位荷重当たりの撓み量よりも大きい場合と比較して、複数の表示媒体の境界部の局所変形を抑えることができる、という効果を有する。
【００２１】
請求項２記載の発明によれば、支持シートが複数の表示媒体の表示面と反対側の面を支持する場合と比較して、表示媒体の表示面を保護することができる、という効果を有する。
【００２２】
請求項３記載の発明によれば、複数の表示媒体の各々の端部を折り曲げずに複数の表示媒体を支持シート上に配置した場合と比較して、複数の表示媒体から配線を引き出しやすくすることができる、という効果を有する。
【００２３】
請求項４記載の発明によれば、複数の表示媒体の各々の周縁部の非画像形成領域を隠蔽しない場合と比較して、非画像形成領域を目立たなくすることができる、という効果を有する。
【００２４】
請求項５記載の発明によれば、複数の表示媒体の各々の周縁部の非画像形成領域を重ねずに複数の表示媒体を支持シート上に配置した場合と比較して、表示パネル全体に対する非画像形成領域の割合を少なくすることができる、という効果を有する。
【００２５】
請求項６記載の発明によれば、支持シートの曲率が予め定めた許容範囲内となるように規制する曲率規制部材を設けない場合と比較して、複数の表示媒体の境界部の局所変形を抑えることができる、という効果を有する。
【００２６】
請求項７記載の発明によれば、本構成を有しない場合と比較して、複数の表示媒体の境界部の局所変形を抑えることができる、という効果を有する。
【００２７】
請求項８記載の発明によれば、支持シートに複数の表示媒体を位置決めする位置決め手段を備えない場合と比較して、支持シートに複数の表示媒体を容易に位置決めすることができる、という効果を有する。
【００２８】
請求項９記載の発明によれば、本構成を有しない場合と比較して、支持シートに複数の表示媒体を容易に位置決めすることができる、という効果を有する。
【００２９】
請求項１０記載の発明によれば、本構成を有しない場合と比較して、支持シートに複数の表示媒体を容易に位置決めすることができる、という効果を有する。
【００３０】
請求項１１記載の発明によれば、本構成を有しない場合と比較して、支持シートに複数の表示媒体を容易に位置決めすることができる、という効果を有する。
【００３１】
請求項１２記載の発明によれば、電気泳動型でない表示媒体を用いた場合と比較して、様々な設置条件に対応することができる、という効果を有する。
【図面の簡単な説明】
【００３２】
【図１】表示装置の概略構成図である。
【図２】表示パネルが撓んだ状態を示す側面図である。
【図３】単位荷重当たりの撓み量について説明するための図である。
【図４】局所変形が生じた表示パネルの側面図である。
【図５】変形例に係る表示パネルの側面図である。
【図６】変形例に係る表示パネルの側面図である。
【図７】変形例に係る表示パネルの側面図である。
【図８】曲率規制部材が設けられた表示パネルの側面図である。
【図９】（Ａ）は変形が無い場合の曲率規制部材の側面図、（Ｂ）は変形した状態の曲率規制部材の側面図である。
【図１０】表示装置の要部構成図である。
【図１１】表示装置の制御部の構成図である。
【図１２】粒子の閾値特性を示す図である。
【図１３】各色の表示について説明するための図である。
【図１４】（Ａ）は第２実施形態に係る表示パネルの側面図、（Ｂ）は第２実施形態に係る表示パネルの平面図である。
【図１５】変形例に係る表示パネルの側面図である。
【図１６】変形例に係る表示パネルの側面図である。
【発明を実施するための形態】
【００３３】
以下、図面を参照して、本発明を実施するための形態を詳細に説明する。作用、機能が同じ働きを担う部材には、全図面を通して同じ符号を付与し、重複する説明を省略する場合がある、なお、本実施形態に係る表示媒体は複数の画素を含んで構成されるが、説明を簡易化するために、１つの画素に注目した図を用いて本実施形態を説明する。
【００３４】
＜第１実施形態＞
【００３５】
図１には、表示装置１００の概略構成を示した。表示装置１００は、例えば屋内外を問わず設置され、表示装置１００の設置場所周辺を通りがかった通行人に向けて画像を表示することで宣伝及び広告を実施する所謂デジタルサイネージ等に活用される。
【００３６】
そして、表示装置１００は、表示パネル１５と、表示パネル１５に画像を表示させる駆動装置２０とを含んで構成される。
【００３７】
表示パネル１５は、表示媒体１０Ａ、１０Ｂ、１０Ｃ及び１０Ｄを含んで構成され、表示媒体１０Ａ〜１０Ｄが他の表示媒体と隣接して組み合わされることで、全体として１つの表示パネル１５を構成している。また、表示媒体１０Ａ〜１０Ｄは駆動装置２０と各々接続されている。
【００３８】
以下、表示媒体１０Ａ〜１０Ｄをまとめて表示媒体１０と表し、表示媒体１０を区別して個々に説明する必要がある場合に、表示媒体１０Ａ、表示媒体１０Ｂ、表示媒体１０Ｃ、表示媒体１０Ｄと表すものとする。
【００３９】
表示媒体の種類は特に限定されないが、例えば有機ＥＬ（Electro Luminescence）、無機ＥＬ、液晶、電気泳動、エレクトロクロミック、エレクトロウェッティング、粉体移動、ＭＥＭＳ（Micro Electro Mechanical Systems）等の表示方式を用いた表示媒体が用いられる。特に、電気泳動、粉体移動、メモリー性を有する液晶（コレステリック液晶等）等の表示方式を用いた反射型の表示媒体が好ましい。これらの反射型の表示媒体は、可撓性を持たせやすく、様々な設置条件に対応しやすいためである。なお、表示媒体の構成は後述するが、表示媒体を構成する基板は、例えば樹脂や有機無機ハイブリッド材料等が用いられる。また、表示媒体１０の厚みは、一例として１ｍｍ以下であり、好ましくは０．５ｍｍ以下である。
【００４０】
ここで、メモリー性を有する表示媒体とは、表示媒体に対して電源供給を停止させても画像の表示が維持される表示媒体をいい、例えば、電気泳動方式を用いた表示媒体、コレステリック液晶を用いた表示媒体等がある。
【００４１】
メモリー性を有する表示媒体は、画像の書き換えの際に電力を必要とするが、画像表示中は電力を消費しないため、例えば液晶ディスプレイや有機エレクトロルミネッセンス（有機ＥＬ）等のメモリー性を有さない表示媒体と比較して消費する電力量が少ない。
【００４２】
また、反射型の表示媒体とは、太陽や蛍光灯等の照明器具から発せられる光を反射することで画像を表示する方式の表示媒体をいう。
【００４３】
本実施形態では、メモリー性を有する反射型の表示媒体１０の一例として、電気泳動方式を用いた表示媒体を用いて説明するが、これに限定されるものではない。
【００４４】
また、図２に示すように、表示媒体１０Ａ〜１０Ｄは、支持シート３０上に支持されている。本実施形態では、支持シート３０は、一例として透光性を有し且つ表示媒体１０Ａ〜１０Ｄの表示面３２を支持している。これにより、表示媒体１０Ａ〜１０Ｄの表示面３２が支持シート３０によって保護される。このように、本実施形態では、支持シート３０が表示媒体１０Ａ〜１０Ｄの表示面３２側に設けられた場合について説明するが、支持シート３０を表示媒体１０Ａ〜１０Ｄの表示面３２と反対側の面に設けてもよい。なお、図２においては、表示媒体１０Ａ、１０Ｃと表示媒体１０Ｂ、１０Ｄとの境界部に隙間があるが、隙間無く表示媒体１０Ａ〜１０Ｄを配置してもよいことはいうまでもない。
【００４５】
支持シート３０は、例えばＰＥＴ（ポリエチレンテレフタレート）、ＰＥＮ（ポリエチレンナフタレート）、環状オレフィン、ＰＭＭＡ（ポリメタクリル酸メチル樹脂ポリメチルメタクリレート）、ＰＣ（ポリカーボネート）、ＰＥＳ（ポリエーテルサルホン）、有機無機ハイブリッド材料等で構成される。また、支持シート３０の厚みは、一例として１ｍｍ以下であり、好ましくは０．５ｍｍ以下である。また、支持シート３０に紫外線吸収機能、表面反射防止機能、防傷機能、及び防汚機能の少なくとも１つの機能を持たせた構成としてもよい。紫外線吸収機能により表示媒体１０Ａ〜１０Ｄの劣化が抑制される。
【００４６】
支持シート３０と表示媒体１０Ａ〜１０Ｄとは、例えば接着剤を使わず熱圧着してもよいし、例えば感圧接着剤、ＵＶ硬化型接着剤、熱可塑性接着剤等で接着してもよい。
【００４７】
また、図２に示すように、支持シート３０及び表示媒体１０Ａ〜１０Ｄは可撓性を有しており、図２は、力が加えられることにより支持シート３０及び表示媒体１０Ａ〜１０Ｄが撓んだ状態を示している。そして、支持シート３０の単位荷重当たりの撓み量は、表示媒体１０Ａ〜１０Ｄの各々の単位荷重当たりの撓み量よりも小さくなっている。
【００４８】
ここで、単位荷重当たりの撓み量とは、図３に示すように、平板状の対象物３４を支持台３６に載せた状態で対象物３４に単位荷重Ｌを加えた際の撓み量Ｘをいう。
【００４９】
このように、支持シート３０の単位荷重当たりの撓み量は、表示媒体１０Ａ〜１０Ｄの各々の単位荷重当たりの撓み量よりも小さくなっているため、支持シート３０の剛性は表示媒体１０Ａ〜１０Ｄの剛性よりも大きい。例えば支持シート３０の剛性が表示媒体１０Ａ〜１０Ｄの剛性よりも小さい場合、図４に示すように、表示パネル１５に力が加えられると、表示媒体１０Ａ、１０Ｃと表示媒体１０Ｃ、１０Ｄとの境界部３８が局所変形してしまう場合がある。これに対し、本実施形態では、支持シート３０の剛性が表示媒体１０Ａ〜１０Ｄの剛性よりも大きいので、図２に示すように、境界部３８に局所変形が発生するのが抑制される。
【００５０】
なお、支持シート３０の熱膨張係数が表示パネル１５の熱膨張係数よりも大きい方が好ましく、両者の差が６Ｅ−５／℃以内であることがより好ましい。
【００５１】
また、表示面３２と反対側の面に、境界部３８を跨ぐように補強部材を設けてもよい。これにより、局所変形がさらに抑制される。
【００５２】
また、図５に示すように、表示媒体１０Ａ〜１０Ｄの各々の端部を折り曲げて支持シート３０上に配置してもよい。これにより、表示媒体１０Ａ〜１０Ｄから配線４２を引き出しやすくなる。
【００５３】
また、表示媒体１０Ａ〜１０Ｄの周縁部は、画像が形成されない非画像形成領域となっている場合がある。そこで、図６に示すように、支持シート３０の、表示媒体１０Ａ〜１０Ｄの各々の周縁部の非画像形成領域１０Ａ１〜１０Ｄ１に対応する対応領域に、非画像形成領域１０Ａ１〜１０Ｄ１を隠蔽する隠蔽部４４を備えた構成としてもよい。これにより、非画像形成領域が目立つのが抑制される。
【００５４】
なお、隠蔽部４４は、表示媒体１０Ａ〜１０Ｄの各々の非画像形成領域を隠蔽するように予め定めた色で支持シート３０に目隠し印刷を施すことにより形成されたものでもよい。また、表示媒体１０Ａ〜１０Ｄの各々の非画像形成領域に対応した形状の隠蔽用シートを隠蔽部４４として支持シート３０上に貼り付けた構成としてもよい。
【００５５】
また、図７に示すように、表示媒体１０Ａ〜１０Ｄの各々の周縁部の非画像形成領域が重なるように、表示媒体１０Ａ〜１０Ｄが支持シート３０上に配置された構成としてもよい。これにより、表示パネル１５全体に対する非画像形成領域Ｗが占める割合が減り、非画像形成領域が目立つのが抑制される。また、図７に示す表示パネル１５に対して、図６に示す隠蔽部４４を設けた構成としてもよい。
【００５６】
また、図８に示すように、支持シート３０の表示面と反対側の面に、支持シート３０が予め定めた許容範囲内の曲率となるように規制する曲率規制部材４６を備えた構成としてもよい。なお、曲率規制部材４６の単位荷重当たりの撓み量は、支持シート３０及び表示媒体１０Ａ〜１０Ｄよりも小さい。また、曲率規制部材４６は表示パネル１５全体に設けてもよいし、表示パネル１５の一部、例えば表示パネル１５の周縁の少なくとも一辺に設けてもよい。
【００５７】
図９（Ａ）に示すように、曲率規制部材４６は、両面に予め定めた間隔で切り欠き４６Ａが設けられた部材である。なお、切り欠き４６Ａが設けられる方向、すなわち切り欠き４６Ａによって形成される溝の方向は一方向でもよいし、例えば直交する二方向に設けられていてもよい。
【００５８】
このように、切り欠き４６Ａが設けられているため、図９（Ｂ）に示すように、矢印Ａ方向に力が加わっても、支持シート３０及び表示媒体１０Ａ〜１０Ｄの曲率が予め定めた許容範囲内に規制される。
【００５９】
なお、図９の例では、切り欠き４６Ａが曲率規制部材４６の両面に設けられた場合について説明したが、何れか一方の面にのみ設けてもよい。
【００６０】
また、支持シート３０内に光を照射する光源、例えばＬＥＤ光源を備えた構成としてもよい。これにより、支持シート３０が導光板としても機能する。
【００６１】
また、単位荷重当たりの撓み量が支持シート３０よりも小さい補強部材を支持シート３０の周縁部の少なくとも一辺に設けてもよい。これにより、表示媒体１０Ａ〜１０Ｄの境界部の局所変形がさらに抑制される。
【００６２】
駆動装置２０は、例えば駆動装置２０内部に予め記憶している画像の画像情報に基づいて表示パネル１５を駆動する。駆動装置２０は、例えば１つの画像を４分割した画像を表示媒体１０Ａ〜１０Ｄの各々に表示させることにより、表示パネル１５全体で１つの画像を表示させたり、表示媒体１０Ａ〜１０Ｄの各々に個別の画像を表示させたりする。ここで、画像情報とは、表示媒体１０に表示する画像の画素毎の色情報を含んだ情報のことである。
【００６３】
なお、本実施形態の表示パネル１５は４枚の表示媒体１０を含んで構成されているが、これに限定されず、表示パネル１５は２枚以上の表示媒体１０を含んで構成されていればよい。また、表示媒体の並べ方は、図１のように隣接する各表示媒体の各辺が一致するように配置する場合に限らず、煉瓦を積む場合のように、隣接する各表示媒体の各辺が必ずしも一致しなくてもよい。
【００６４】
図１０には、表示装置１００の要部構成を示した。駆動装置２０は、表示媒体１０に電圧を印加する電圧印加部６０と、表示媒体１０に表示させる画像の画像情報に応じて電圧印加部６０を制御する制御部４０と、を備えている。
【００６５】
表示媒体１０は、表示媒体１０の画像表示面とされる透光性を有する表示基板１と、非表示面とされる背面基板２と、が間隙を持って対向して配置されている。表示基板１には、透光性を有する表示側電極３が設けられ、背面基板２には、背面側電極４が設けられている。また、表示媒体１０には、表示基板１と背面基板２との間隔を予め定めた間隔に保持すると共に、表示基板１と背面基板２との間隙を複数のセルに区画する間隙部材５が設けられている。
【００６６】
上記セルとは、表示基板１、背面基板２、及び間隙部材５によって囲まれた領域をいい、表示媒体１０に画像を表示する際の単位である画素を構成する。画素中には、例えば絶縁性液体で構成された透明の分散媒６と、分散媒６中に分散されたシアン色粒子群１１Ｃ、赤色粒子群１１Ｒ及び白色粒子群１２Ｗが封入されている。なお、以下ではシアン色の粒子をシアン色粒子Ｃ、赤色の粒子を赤色粒子Ｒ、白色の粒子を白色粒子Ｗと称したり、シアン色粒子及び赤色粒子をまとめて着色粒子と称する場合がある。また、粒子群の色は上記に限られるものではなく、表示させる画像等に応じて適宜選択される。
【００６７】
また、本実施形態では説明を簡略化するために１つの画素に着目して表示媒体１０での画像の表示について説明するが、実際には、表示媒体１０は複数の画素を含んで構成されている。
【００６８】
また、本実施形態では１つのセルを画素に対応付けて説明するが、例えば、横方向に２個、縦方向に２個の隣接するセルを１つの連結されたセルとみなして、この連結されたセルを１つの画素として扱うようにしてもよい。
【００６９】
シアン色粒子群１１Ｃ及び赤色粒子群１１Ｒは、例えば共に同極に帯電し、表示側電極３及び背面側電極４間に予め定めた閾値を越える電圧が印加されることにより、シアン色粒子Ｃが表示側電極３及び背面側電極４間を泳動する特性を有している。なお、本実施形態では、シアン色Ｃ及び赤色粒子Ｒは共に正極に帯電しているものとして説明するが、共に負極に帯電していてもよく、又は互いに異極に帯電していてもよい。
【００７０】
また、本実施形態に係るシアン色粒子Ｃの粒径は、赤色粒子Ｒの粒径よりも小さく、表示側電極３及び背面側電極４間に予め定めた閾値を越える電圧を印加して赤色粒子Ｒが何れかの基板に付着し凝集した状態であっても、凝集した赤色粒子群１１Ｒの間隙をすり抜けられる程度の粒径とされる。なお、その他に本実施形態に係るシアン色粒子Ｃ及び赤色粒子Ｒの粒径に関する制限はなく、粒子の帯電極性、応答性、電極間の距離等に応じて適宜設定すればよい。
【００７１】
更に、本実施形態に係るシアン色粒子Ｃは透光性を有しているものとするが、これに限定されることなく、各粒子の透光性は適宜設定すればよい。
【００７２】
白色粒子群１２Ｗは、シアン色粒子群１１Ｃ及び赤色粒子群１１Ｒに比べて帯電量が少ない粒子群である。そのため、シアン色粒子群１１Ｃ及び赤色粒子群１１Ｒの少なくとも一方の着色粒子群が表示基板１及び背面基板２のうち何れか一方の基板まで泳動する電圧が表示側電極３及び背面側電極４間に印加されても、着色粒子群の泳動速度に比べて白色粒子群１２Ｗの泳動速度は遅く、白色粒子群１２Ｗは表示基板１及び背面基板２の何れにも付着することなく分散媒６中を浮遊する。
【００７３】
なお、本実施形態の画素には、シアン色粒子群１１Ｃ、赤色粒子群１１Ｒ、及び白色粒子群１２Ｗの３種類の粒子群が封入されるものとしたが、画素に封入される粒子群の種類は、３種類に限定されるものではない。
【００７４】
駆動装置２０は、表示媒体１０の表示側電極３及び背面側電極４間に表示させる画像の画像情報に応じた電圧を印加することにより、分散媒６中の着色粒子を泳動させ、帯電極性に応じて表示基板１及び背面基板２の何れか一方の基板に着色粒子を引き付けることにより、画像情報に応じた濃度の画像を表示させる。
【００７５】
電圧印加部６０は、表示側電極３及び背面側電極４にそれぞれ電気的に接続されると共に、制御部４０と相互に信号授受されるように接続されている。電圧印加部６０は、制御部４０により制御され、画像情報に応じた電圧を表示側電極３及び背面側電極４に印加する。
【００７６】
制御部４０は、図１１に示すように、例えばコンピュータ４０として構成される。コンピュータ４０は、ＣＰＵ（Central Processing Unit）４０Ａ、ＲＯＭ（Read Only Memory）４０Ｂ、ＲＡＭ（Random Access Memory）４０Ｃ、不揮発性メモリ４０Ｄ、及び入出力インターフェース（Ｉ／Ｏ）４０Ｅがバス４０Ｆを介して各々接続された構成であり、Ｉ／Ｏ４０Ｅには電圧印加部６０及び通信回線Ｉ／Ｆ（Interface）７０が接続されている。
【００７７】
通信回線Ｉ／Ｆ７０は、図示しない通信回線に接続され、当該通信回線に接続された図示しないサーバやパーソナルコンピュータ等の端末装置と相互にデータを通信する。この図示しない通信回線は有線回線及び無線回線の何れであってもよく、例えば、図示しないサーバやパーソナルコンピュータから表示媒体１０に表示させる画像の画像情報を取得するようにしてもよい。
【００７８】
図１２は、表示媒体１０に含まれるシアン色粒子Ｃ及び赤色粒子Ｒを表示基板１側、背面基板２側に移動させるために必要な印加電圧の特性（閾値特性）を示したものである。なお、図１２では、シアン色粒子Ｃの閾値特性を特性５０Ｃで表し、赤色粒子Ｒの閾値特性を特性５０Ｒで表している。同図の横軸は表示側電極３を接地レベル（０Ｖ）とした場合に背面側電極４に印加される電圧を、縦軸は表示基板１側から観測される着色粒子の表示濃度を表している。
【００７９】
シアン色粒子Ｃは閾値ＴＨ３を越える電圧が背面側電極４に印加されると、背面基板２に付着していたシアン色粒子Ｃが背面基板２から剥離して、基板間に形成された電界に応じて表示基板１側へ移動する。また、シアン色粒子Ｃは閾値−ＴＨ３未満の電圧が背面側電極４に印加されると、表示基板１に付着していたシアン色粒子Ｃが表示基板１から剥離して、基板間に形成された電界に応じて背面基板２側へ移動する。
【００８０】
一方、赤色粒子Ｒは閾値ＴＨ１を越える電圧が背面側電極４に印加されると、背面基板２に付着していた赤色粒子Ｒが背面基板２から剥離して、基板間に形成された電界に応じて表示基板１側へ移動する。また、赤色粒子Ｒは閾値−ＴＨ１未満の電圧が背面側電極４に印加されると、表示基板１に付着していた赤色粒子Ｒが表示基板１から剥離して、基板間に形成された電界に応じて背面基板２側へ移動する。
【００８１】
なお、シアン色粒子Ｃ及び赤色粒子Ｒの閾値の大きさの関係は、｜ＴＨ１｜＜｜ＴＨ２｜＜｜ＴＨ３｜＜｜ＴＨ４｜である。
【００８２】
次に、図１２に示した閾値特性を有するシアン色粒子Ｃ及び赤色粒子Ｒを駆動装置２０によって駆動した場合に、表示媒体１０に表示される画像の色について説明する。
【００８３】
図１３は、本実施形態に係る表示媒体１０における、駆動装置２０によって印加される印加電圧に応じたシアン色粒子Ｃ及び赤色粒子Ｒの挙動の一例を概略的に示している。なお、図１３では、分散媒６、間隙部材５は省略されており、表示側電極３の電位は接地レベル（０Ｖ）に設定されている。
【００８４】
図１３（Ａ）に示すように、表示基板１側のシアン色粒子Ｃ及び赤色粒子Ｒを剥離して背面基板２側に付着させるのに必要な閾値−ＴＨ４未満の電圧を背面側電極４に印加すると、シアン色粒子Ｃ及び赤色粒子Ｒは背面基板２側に泳動して背面基板２側の全面に付着した状態となる。一方、白色粒子Ｗは、閾値−ＴＨ４未満の電圧が背面側電極４に印加されても、表示基板１及び背面基板２の何れの基板にも付着することなく分散媒６中を浮遊する。これにより表示基板１側からは白色粒子Ｗが目視されるため白色が表示される。
【００８５】
図１３（Ａ）の状態から、背面側電極４に閾値ＴＨ１を越え且つ閾値ＴＨ３以下の電圧を印加すると、図１３（Ｂ）に示すように、赤色粒子Ｒは背面基板２側から表示基板１側に泳動して表示基板１側の全面に付着した状態となる。これにより表示基板１側からは赤色粒子Ｒが目視されるため赤色が表示される。
【００８６】
図１３（Ｂ）の状態から、背面側電極４に閾値ＴＨ４を越える電圧を印加すると、図１３（Ｃ）に示すように、シアン色粒子Ｃは背面基板２側から表示基板１側に泳動して、既に表示基板１側に付着している赤色粒子Ｒの間隙を通り、表示基板１側の全面に付着した状態となる。これにより表示基板１側からは透光性を有するシアン色粒子Ｃを通してシアン色と赤色の混色である黒色が表示される。
【００８７】
図１３（Ｃ）の状態から、背面側電極４に閾値−ＴＨ２未満で且つ閾値−ＴＨ３以上の電圧を印加すると、図１３（Ｄ）に示すように、赤色粒子Ｒは表示基板１側から背面基板２側に泳動して背面基板２側の全面に付着した状態となるが、シアン色粒子Ｃは表示基板１側の全面に付着したままの状態となる。これにより表示基板１側からはシアン色粒子Ｃが目視されるのでシアン色が表示される。
【００８８】
なお、同図では、全てのシアン色粒子Ｃ及び赤色粒子Ｒを表示基板１側に付着させて１００％の濃度で各色を表示する場合について説明したが、表示媒体１０に表示する画像の画像情報に基づいて中間色を表示する場合には、濃度（階調）に応じた粒子量の着色粒子が表示基板１側に付着するように、背面側電極４に印加する電圧の電圧値及び印加時間の少なくとも一方を制御すればよい。
【００８９】
このように、本実施形態によれば、表示媒体１０Ａ〜１０Ｄを支持する支持シート３０の単位荷重当たりの撓み量が、表示媒体１０Ａ〜１０Ｄの各々の単位荷重当たりの撓み量よりも小さいので、表示媒体１０Ａ〜１０Ｄの境界部の局所変形が抑えられる。
【００９０】
＜第２実施形態＞
【００９１】
次に、第２実施形態について説明する。なお、第１実施形態と同一部分については同一符号を付し、詳細な説明は省略する。第２実施形態では、支持シート３０が表示媒体１０Ａ〜１０Ｄを位置決めする位置決め部を備えた構成について説明する。
【００９２】
図１４（Ａ）、（Ｂ）には、位置決め部の一例を示した。図１４（Ａ）、（Ｂ）に示すように、支持シート３０には、表示媒体１０Ａ〜１０Ｄの各々を嵌め合わせるための突起部５２が、表示媒体１０Ａ〜１０Ｄの四隅に合わせた位置に設けられている。そして、表示媒体１０Ａ〜１０Ｄの各々の四隅には、突起部５２の形状に合わせた切り欠きが設けられている。これにより、図１４（Ｂ）に示すように、表示媒体１０Ａ〜１０Ｄが支持シート３０に嵌め合わされ、表示媒体１０Ａ〜１０Ｄが支持シート３０上に精度良く位置決めされる。
【００９３】
また、図１５には、位置決め部の他の例を示した。図１５に示すように、支持シート３０の表示媒体１０Ａ〜１０Ｄが配置される面に段差部５４が設けられている。これにより、表示媒体１０Ａ〜１０Ｄは、支持シート３０が平面の場合と比較して支持シート３０上に精度良く位置決めされる。なお、段差部が設けられる方向は、予め定めた一方向でもよいし、例えば直交する二方向に設けられてもよい。
【００９４】
また、図１６には、位置決め部の他の例を示した。図１６に示すように、支持シート３０に挿入口５６Ａが、表示媒体１０Ａ〜１０Ｄの各々に挿入孔５６Ｂが設けられている。そして、挿入口５６Ａと挿入口５６Ｂとが１つの挿入口５６を形成するように支持シート３０と表示媒体１０Ａ〜１０Ｄとが位置決めされた状態で位置決めピン５８が各々挿入される。位置決めピン５８は、挿入口５６に挿入された状態で支持シート３０及び表示媒体１０Ａ〜１０Ｄの各々に例えば接着剤等で接着される。これにより、表示媒体１０Ａ〜１０Ｄが支持シート３０上に精度良く位置決めされる。
【００９５】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【符号の説明】
【００９６】
１０Ａ〜１０Ｄ       表示媒体
１１Ｃ シアン色粒子群
１１Ｒ 赤色粒子群
１２Ｗ 白色粒子群
１５   表示パネル
２０   駆動装置
３０   支持シート
４２   配線
４４   隠蔽部
４６   曲率規制部材
５２   突起部
５４   段差部
５６Ａ、５６Ｂ       挿入口
５８   ピン
６０   電圧印加部
１００ 表示装置
【図１】
2015166777.tif 000003
【図２】
2015166777.tif 000004
【図３】
2015166777.tif 000005
【図４】
2015166777.tif 000006
【図５】
2015166777.tif 000007
【図６】
2015166777.tif 000008
【図７】
2015166777.tif 000009
【図８】
2015166777.tif 000010
【図９】
2015166777.tif 000011
【図１０】
2015166777.tif 000012
【図１１】
2015166777.tif 000013
【図１２】
2015166777.tif 000014
【図１３】
2015166777.tif 000015
【図１４】
2015166777.tif 000016
【図１５】
2015166777.tif 000017
【図１６】
2015166777.tif 000018